(57)【要約】  本発明は、好ましくは熱間圧延機から搬送された、例えばバー、ロッド、又はこれらに類似する物のような金属製の長尺製品（Ｐ）を受容、輸送、及び排出するためのドラム（１０，１２）において、ドラム（１０，１２）が、ドラム軸線（Ｘ）に対して平行に延在している少なくとも１つの周方向のチャネルペア（Ｃ１−Ｃ２）を備えており、少なくとも１つのチャネルペア（Ｃ１−Ｃ２）が、２つの長尺製品（Ｐ１，Ｐ２）を同時に受容するように配置されており、チャネルペアのチャネル（Ｃ１，Ｃ２）それぞれが、一の長尺製品を受容するように構成されている、ドラムに関する。また、本発明は、圧延機の異なるストランドから搬送された圧延された長尺製品を処理するための方法及びシステムに関する。
2016528041.tif 000002
【特許請求の範囲】
【請求項１】
好ましくは熱間圧延機から搬送された、例えばバー、ロッド、又はこれらに類似する物のような金属製の長尺製品（Ｐ）を受容、輸送、及び排出するためのドラム（１０，１２）において、
前記ドラム（１０，１２）が、ドラム軸線（Ｘ）に対して平行に延在している少なくとも１つの周方向のチャネルペア（Ｃ１−Ｃ２）を備えており、
少なくとも１つの前記チャネルペア（Ｃ１−Ｃ２）が、２つの前記長尺製品（Ｐ１，Ｐ２）を同時に受容するように配置されており、
前記チャネルペア（Ｃ１−Ｃ２）のチャネル（Ｃ１，Ｃ２）それぞれが、一の前記長尺製品（Ｐ１，Ｐ２）を受容するように構成されていることを特徴とするドラム。
【請求項２】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれが、隣り合うチャネルペア（Ｃ１−Ｃ２，Ｃ３−Ｃ４）から離隔配置されていることを特徴とする請求項１に記載のドラム。
【請求項３】
前記チャネルペア（Ｃ１−Ｃ２，Ｃ３−Ｃ４）それぞれが、隣り合うチャネルペアに対して、１２°以上の角度（α，α′）で、好ましくは１２°〜４５°の角度（α，α′）で角度的に離隔配置されていることを特徴とする請求項２に記載のドラム。
【請求項４】
前記ドラム（１０，１２）が、複数の前記チャネルペア（Ｃ１−Ｃ２，Ｃ３―Ｃ４）を備えており、
前記チャネルペア（Ｃ１−Ｃ２，Ｃ３−Ｃ４）それぞれが、チャネルが形成されていない部分を介して、隣り合うチャネルから離隔配置されていることを特徴とする請求項１〜３のいずれか一項に記載のドラム。
【請求項５】
前記チャネルが形成されていない部分が、１２°〜１８°の範囲にある角度的幅αを有していることを特徴とする請求項４に記載のドラム。
【請求項６】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれの前記チャネルそれぞれが、第１の大きさを有しており、
前記ドラム（１０，１２）が、前記第１の大きさとは異なる第２の大きさを有しているチャネル（Ｃ１′）を前記チャネルペア（Ｃ１−Ｃ２，Ｃ３−Ｃ４）同士の間に備えていることを特徴とする請求項１〜３のいずれか一項に記載のドラム。
【請求項７】
前記第２の大きさを有している前記チャネル（Ｃ１′）それぞれの角度的幅（β）及び深さ（ｄ）それぞれが、前記第１の大きさを有している前記チャネルそれぞれの角度的幅及び深さより大きいことを特徴とする請求項６に記載のドラム。
【請求項８】
前記チャネルそれぞれが、前記ドラム軸線（Ｘ）に対して平行とされる長手方向軸線に沿って延在しており、
前記チャネルペアの２つの軸線が成す角度的距離が、３０°以上とされ、好ましくは３０°〜４５°の範囲内とされることを特徴とする請求項１〜７のいずれか一項に記載のドラム。
【請求項９】
前記チャネルペアの２つの前記チャネルが成す角度的距離（Ｂ）が、前記チャネルペアによって受容される２つの長尺製品が成す直線距離（Ｃ）に依存することを特徴とする請求項１〜８のいずれか一項に記載のドラム。
【請求項１０】
前記チャネルペアの２つの前記チャネルが成す角度的距離（Ｂ）が、１４°〜２４°の範囲内とされ、好ましくは１６°〜２０°の範囲内とされることを特徴とする請求項１〜９のいずれか一項に記載のドラム。
【請求項１１】
好ましくは熱間圧延機の複数のストランドから搬送された複数の長尺製品を処理するためのシステムにおいて、
前記システムが、
請求項１〜１０のいずれか一項に記載の少なくとも１つのドラム（１０，１２）と、
前記長尺製品それぞれを一時的に収容するためのチャンバ（Ｃｈ）を形成するために、前記ドラム（１０，１２）のチャネル（Ｃ１−Ｃｎ）それぞれと協働するように構成されている少なくとも１つのカバー（１６）と、
共通する出口セクション（２０ｃ）に導く少なくとも２つの入口セクション（２０ａ，２０ｂ）を有している少なくとも１つのガイド（２０，２０′）であって、前記入口セクション（２０ａ，２０ｂ）が、熱間圧延機の２つの異なるストランドから搬送された少なくとも２つの長尺製品（Ｐ１，Ｐ２）を受容し、少なくとも２つの前記長尺製品（Ｐ１，Ｐ２）を前記出口セクション（２０ｃ）に向かって案内するように構成されており、前記出口セクション（２０ｃ）が、前記ドラムの前記チャネル（Ｃ１−Ｃｎ）の入口に面しており、前記長尺製品（Ｐ１，Ｐ２）が前記ドラム（１０，１２）の前記チャネル（Ｃ１−Ｃｎ）の内部に導入される前に、少なくとも２つの前記長尺製品（Ｐ１，Ｐ２）を並行に配置させるように構成されている、少なくとも１つの前記ガイド（２０，２０′）と、
前記ガイド（２０，２０′）から搬送された２つの並列に配置された前記長尺製品（Ｐ１，Ｐ２）を破断するための破断手段と、
を備えていることを特徴とするシステム。
【請求項１２】
好ましくは圧延機の２つの異なるストランドから搬送された少なくとも２つの長尺製品（Ｐ１，Ｐ２）を処理するための方法において、
少なくとも２つの前記長尺製品（Ｐ１，Ｐ２）を同一のドラム（１０，１２）の異なるチャネルに同時に導入するステップ（ａ）と、
その後に、少なくとも２つの前記長尺製品（Ｐ１，Ｐ２）を冷却床（１４）の同一のノッチの上に同時に排出するステップ（ｂ）と、
を備えていることを特徴とする方法。
【請求項１３】
前記方法が、前記ステップ（ａ）を実行する前に、
少なくとも２つの前記長尺製品（Ｐ１，Ｐ２）を並行に配置するために、少なくとも２つの前記長尺製品（Ｐ１，Ｐ２）を案内することと、
少なくとも２つの前記長尺製品（Ｐ１，Ｐ２）を破断することと、
を備えていることを特徴とする請求項１２に記載の方法。
【請求項１４】
請求項１〜９のいずれか一項に記載のドラムが利用されること特徴とする請求項１〜１３のいずれか一項に記載の方法。
【発明の詳細な説明】
【技術分野】
【０００１】
本発明は、圧延機の異なるストランドから搬送された長尺の圧延製品を処理するためのドラム及び方法に関する。また、本発明は、このようなドラムを具備するシステムに関する。
【０００２】
本発明は、特に、例えばバー、ロッド、又はこれらに類する物のような長尺の鉄製製品を製造するための熱間圧延プラントにおいて利用可能とされるが、これに限定される訳ではない。
【背景技術】
【０００３】
例えばバー、ロッド、又はこれらに類する物のような長尺の鉄製最終製品を製造するために、金属製の長尺製品を製造するためのプラントが、特に、炉や他の類する供給源から受容された連続圧延鋼片についての圧延ラインに沿って位置合わせされている複数の圧延スタンドを備えている。
【０００４】
最後の圧延スタンドの下流において製品がバーセグメントに切断された後に、バーセグメントは、例えば冷却床のような周囲温度で冷却される。
【０００５】
長尺製品は、ドラムと呼称される装置によって冷却床に排出される。
【０００６】
長尺製品製造プラントは、複数のストランドを同時に処理するように構成されている。ストランドは、所定回数の圧延工程を完了した後に当該プラントの所定地点において依然として高温である場合に、長尺製品を分割又は切断することによって製造される。切断は、最後のストランドの圧延速度を高めることなく、当該プラントの製造速度を高めるために行われる。このような切断作業の後に、金属製の長尺製品が様々なストランドに分割され、その後に当該ストランとが処理される。
【０００７】
特許文献１では、異なる製品ストランドから搬送された長尺製品セグメントを処理するために、１つのストランドに対して少なくとも２つのドラムが設けられている。ドラムそれぞれが、代替的には、長尺製品の事前に切断されている一のセグメントを受容する。このことは、２つのドラムが長尺製品のストランド毎に配置されていることを意味する。さらに、長尺製品のセグメントを適切なドラムに方向づけるための切替手段が必要とされる。上述の要素は、装置をむしろ煩雑にすると共に一層複雑にし、メンテナンスの大きい負担を要求するものである。
【０００８】
特許文献２は、圧延機から搬送されたバーを受容及び排出するための装置を開示している。当該特許文献では、２組のドラムが、単一のストランドから搬送されたバーを処理するために利用される。このことは、４つのドラムが製品のストランド毎に必要とされることを示している。
【先行技術文献】
【特許文献】
【０００９】
【特許文献１】欧州特許第１８７７２０３号明細書
【特許文献２】国際公開第０２／０７０１５６号
【発明の概要】
【発明が解決しようとする課題】
【００１０】
本発明の主たる目的は、冷却装置に投入される前における、圧延機の異なるストランドから形成されたバーの処理を単純化することである。
【００１１】
本発明の関連する目的は、複数のストランドから搬送されたバーセグメントを処理するために必要とされるドラム、駆動システム、及び切替手段の数量を減らすことである。
【００１２】
本発明の他の目的は、圧延機プラントの製造速度を高めること、及びより小型の圧延機プラントを実現することである。
【課題を解決するための手段】
【００１３】
上述の課題は、好ましくは熱間圧延機から搬送された、例えばバー、ロッド、又はこれらに類似する物のような金属製の長尺製品を受容、輸送、及び排出するためのドラムにおいて、ドラムが、ドラム軸線に対して平行に延在している少なくとも１つの周方向のチャネルペアを備えており、少なくとも１つのチャネルペアが、２つの長尺製品を同時に受容するように配置されており、チャネルペアのチャネルそれぞれが、一の長尺製品を受容するように構成されている、ドラムによつて解決される。
【００１４】
以下に示す本発明の他の任意の特徴が、単独で又は組み合わせて利用可能とされる。
−  ドラムが、複数のチャネルペアを備えており、チャネルペアそれぞれが、隣り合うチャネルペアから離隔配置されている。
−  チャネルペアそれぞれが、隣り合うチャネルペアに対して、１２°以上の角度で、好ましくは１２°〜４５°の角度で角度的に離隔配置されている。
−  ドラムが、複数のチャネルペアを備えており、チャネルペアそれぞれが、チャネルが形成されていない部分を介して、隣り合うチャネルから離隔配置されている。
−  チャネルが形成されていない部分が、１２°〜１８°の範囲にある角度的幅αを有している。
−  ドラムが、複数のチャネルペアを備えており、チャネルペアそれぞれのチャネルそれぞれが、第１の大きさを有しており、ドラムが、第１の大きさとは異なる第２の大きさを有しているチャネルをチャネルペア同士の間に備えている。
−  第２の大きさを有しているチャネルそれぞれの角度的幅及び深さそれぞれが、第１の大きさを有しているチャネルそれぞれの角度的幅及び深さより大きい。
−  チャネルそれぞれが、ドラム軸線に対して平行とされる長手方向軸線に沿って延在しており、チャネルペアの２つの軸線が成す角度的距離が、３０°以上とされ、好ましくは３０°〜４５°の範囲内とされる。
−  チャネルペアの２つのチャネルが成す角度的距離が、チャネルペアによって受容される２つの長尺製品が成す直線距離に依存する。
−  チャネルペアの２つのチャネルが成す角度的距離が、１４°〜２４°の範囲内とされ、好ましくは１６°〜２０°の範囲内とされる。
【００１５】
また、本発明は、好ましくは熱間圧延機の複数のストランドから搬送された複数の長尺製品を処理するためのシステムにおいて、
システムが、
ａ．上述のように規定されている少なくとも１つのドラムと、
ｂ．長尺製品それぞれを一時的に収容するためのチャンバを形成するために、ドラムのチャネルそれぞれと協働するように構成されている少なくとも１つのカバーと、
ｃ．共通する出口セクションに導く少なくとも２つの入口セクションを有している少なくとも１つのガイドであって、入口セクションが、圧延機の２つの異なるストランドから搬送された少なくとも２つの長尺製品を受容し、少なくとも２つの長尺製品を出口セクションに向かって案内するように構成されており、出口セクションが、ドラムのチャネルの入口に面しており、長尺製品がドラムのチャネルの内部に導入される前に、少なくとも２つの長尺製品を並行に配置させるように構成されている、少なくとも１つのガイドと、
ｄ．ガイドから搬送された２つの並列に配置された長尺製品を破断するための破断手段と、
を備えている、システムに関する。
【００１６】
また、本発明は、好ましくは圧延機の２つの異なるストランドから搬送された少なくとも２つの長尺製品を処理するための方法において、
ａ）少なくとも２つの長尺製品を同一のドラムの異なるチャネルに同時に導入するステップと、
ｂ）少なくとも２つの長尺製品を冷却床の同一のノッチに同時に排出するステップと、
を備えている、方法に関する。
【００１７】
優位には、当該方法が、ステップａ）を実行する前に、
−少なくとも２つの長尺製品を並行に配置するために、少なくとも２つの長尺製品を案内することと、
−少なくとも２つの長尺製品を破断することと、
を備えている。
【００１８】
優位には、上述のように規定されているドラムが利用される。
【００１９】
本発明は、単純な方法で少なくとも２つのバーを同時に処理することができるドラムを提供するので、圧延機プラントにおいて多数のストランドを勝利するために必要とされるドラムの数量を減らすことができる。
【００２０】
本発明におけるドラムは、圧延機から搬送された複数のストランドが存在する場合に、特に優位であるが、一のストランドのみが製造される場合であっても利用可能とされる。
【００２１】
添付図面を参照しつつ、以下の非限定的な詳細な説明を考慮することによって、本発明の示唆について容易に理解することができる。
【図面の簡単な説明】
【００２２】
【図１】第１の直径を有している長尺製品が送り込まれている本発明におけるドラムが冷却床の上方に配置されている状態における断面側面図を表わす。
【図２】図１の拡大図である。
【図３】第２の直径を有している長尺製品が送り込まれているドラムの、図２に類似する図面である。
【図４】圧延機から搬送された長尺製品の複数のストランドを処理するためのシステムの第１の実施例についての概略図である。
【図５】圧延機から搬送された長尺製品の複数のストランドを処理するためのシステムの第２の実施例についての概略図である。
【図６】本発明の第２の実施例におけるドラムの断面側面図である。
【００２３】
理解を容易にするために、図面に共通する同一の構成要素には同一の参照符号が付されている。
【００２４】
さらに、同一の図面に関して、明確にするために、参照符号は、一方のドラムについてのみ付されており、他方のドラムについては付されていないことに留意すべきである。
【発明を実施するための形態】
【００２５】
図１及び図２は、冷却床１４の上方に配置されている一組のドラム１０，１２を概略的に表わす。ドラム１０，１２それぞれが、円筒状の形態とされ、軸線Ｘを中心として段階的に回転するように駆動される。ドラム１０，１２それぞれが、複数のチャネルＣ１〜Ｃｎを形成している。チャネルＣ１〜Ｃｎそれぞれが、ドラム１０，１２の周囲においてドラム１０，１２それぞれの軸線に沿って且つ当該軸線に対して平行に延在している。
【００２６】
図２、図３、及び図６から最良に理解されるように、チャネルＣ１〜Ｃｎそれぞれが、圧延装置から搬送された一の長尺製品Ｐを周期的に且つ一度に受容するように構成されている。
【００２７】
また、ドラム１０，１２それぞれが、ドラム１０又は１２の周囲に且つ外側に部分的に延在しているカバー１６と協働する。より具体的には、カバー１６は、チャネルＣ１〜Ｃｎそれぞれを瞬間的に閉じるように、且つ、金属製の長尺製品Ｐそれぞれが冷却床１４に排出される前に収容されているチャンバＣｈをチャネルＣ１〜Ｃｎと共に形成するように配置されている。カバー１６それぞれが、ドラム１０又は１２の中心Ｘを交点とする所定角度の弧として延在している。
【００２８】
本発明では、例えば切断プロセスによって得られた異なるストランドから搬送された長尺製品Ｐを処理可能とするために、ドラム１０，１２それぞれが、チャネルペアを形成している少なくとも２つのチャネルＣ１，Ｃ２を備えている。チャネルペアのチャネルそれぞれが、チャネルペアのチャネルそれぞれが一の長尺製品Ｐを一度に同時に受容することができるように、互いに対して近接して配置されている。言い換えれば、チャネルペアが２つの長尺製品Ｐを同時に受容する。さらに言い換えれば、当該チャネルペアが、２つの長尺製品Ｐを同時に受容するように、ひいては一の長尺製品Ｐをチャネル部分すなわちチャネルペアそれぞれに受容するように配置されている。
【００２９】
チャネルペアの２つのチャネルが成す角度Ｂ（図２のドラム１２を参照）は、チャネルの軸線Ｘを基点としたチャネルペアのチャネルの軸線同士が成す角度として定義されており、長尺製品Ｐがチャネルペアそれぞれに入る前における２つの長尺製品Ｐの間の直線距離Ｃ（図５参照）に依存している。角度Ｂは、例えば１４°〜２４°とされ、好ましくは１６°〜２０°である。一の実施例では、角度Ｂは１８°である。
【００３０】
図２、図３、及び図６から理解されるように、ドラム１０，１２それぞれが、上述のように定義された複数のチャネルペアを備えている。チャネルペアそれぞれが、（ドラム１０又は１２の中心Ｘを交点とする）所定角度αで隣り合うチャネルペアに対して角度的に離隔されている。角度αは、例えば３０°以上とされる。図２に表わす実施例では、角度αは、好ましくは３０°〜４５°とされる。一の実施例では、角度αは４２°である。言うまでもなく、角度αは、処理すべき最大製品の直径とドラム１０，１２の最大回転速度とに依存している。
【００３１】
図６に表わす実施例では、チャネルペアそれぞれが、チャネルが形成されていない部分を介して、隣り合うチャネルに対して角度的に離隔されている。当該チャネルが形成されていない部分は、（ドラム１０又は１２の中心Ｘを交点とする）所定角度α′を有している。角度α′は、例えば１２°以上とされ、好ましくは１２°〜１８°とされる。一の実施例では、角度α′は１５°である。より具体的には、ドラム１０，１２それぞれが複数の長手方向凹所１８を形成している。長手方向凹所１８それぞれは、一組のＵ字状の半体チューブを有しており、Ｕ字状の半体チューブそれぞれが、長尺製品Ｐを受容するように構成されているチャネルである。
【００３２】
図３及び図６から理解されるように、２つのチャネル（例えばチャネルＣ１，Ｃ２）が互いに近接してチャネルペアの一部として配置されているので、２つの長尺製品Ｐを冷却床１４の同一のノッチの上に排出することができる。
【００３３】
チャネルペアのチャネルは、略同一の、すなわち極めて類似する横断面を有している。
【００３４】
図２〜図４に表わす実施例では、ドラム１０，１２それぞれが、例えばチャネルペアＣ１，Ｃ２とチャネルペアＣ３，Ｃ４との間のようなチャネルペア同士の間それぞれに、当該ドラムの横断面において例えばチャネルＣ１〜Ｃ４のようなチャネルの形状とは相違する形状を有しているチャネルＣ１′を備えている。言い換えれば、当該実施例では、ドラム１０，１２それぞれが、大きさが相違する２つの異なるタイプのチャネルを有している。
【００３５】
第１の大きさを有するチャネルは、小チャネル（例えばチャネルＣ１〜Ｃ４）と呼称されるが、例えば最大直径１６ｍｍまでの長尺製品Ｐを受容するように構成されており、第２の大きさを有するチャネルは、大チャネル（例えばチャネルＣ１′）と呼称されるが、１６ｍｍより大きい直径の、例えば最大直径４２ｍｍまでの長尺製品Ｐを受容するように構成されている。大チャネルそれぞれの角度的幅β及び深さ“ｄ”はそれぞれ、小チャネルそれぞれの角度的幅及び深さより大きい。
【００３６】
本発明におけるドラムが同時に複数のストランドを処理可能であることに加えて、様々な大きさのチャネルが、本発明におけるドラムによって処理可能とされる長尺製品Ｐの範囲を、既知のドラムと比較して拡大することができる。言い換えれば、当該実施例では、同一のドラムによって、様々な直径を有している異なる種類の長尺製品Ｐを処理することができる。
【００３７】
さらに、チャネルの大きさが長尺製品Ｐの側面に適合しているので、製品を搬送する際に、チャネルの内部における製品の安定性を確保することができる。
【００３８】
さらに、従来技術に基づくドラムを利用した場合には、チャネルの内部に導入された長尺製品Ｐは摩耗する。例えば３２ｍｍより大きい直径を有している長尺製品Ｐのためのチャネルの内部において摩耗が発生した場合には、当該摩耗によってチャネルの形状が変化する。これにより、より小さい直径を有している長尺製品Ｐについての、同一のチャネルを利用したその後の処理が停止する。この問題は、本発明におけるドラムによって解決される。より小さい直径を有している長尺製品Ｐのための専用チャネルと、より大きい直径を有している長尺製品Ｐのための専用チャネルとが設けられているからである。このようにして、これらチャネルのうち一のチャネルにおいて摩耗が発生した場合であっても、すべての種類の製品を常に良好に案内することができる。
【００３９】
さらに、所定の条件下において、当該実施例におけるドラムを利用することによって、従来技術に基づく解決策では一般に冷却床の上流に設置が必要とされたエプロンの利用が解消される。
【００４０】
図４は、好ましくは本発明における圧延装置から搬送された長尺製品Ｐの複数のストランドを運搬するためのシステムを表わす概略図である。第１の実施例では、当該システムは、少なくとも１つのドラム１０又は１２を備えている。ガイド２０又は２０′が、ドラム１０又は１２それぞれの上流に設けられている。ガイド２０又は２０′は、“Ｖ”字状に形成されており、２つの離隔配置されたブランチすなわち入口部分２０ａ，２０ｂを備えている。入口部分２０ａ，２０ｂは、終端ブランチすなわち終端部分２０ｃに向かって収束している。圧延機の動作の際に、離隔配置されたブランチそれぞれが、長尺製品ＰのセグメントＰ１又はＰ２を受容する。ブランチ２０ａ，２０ｂそれぞれが、２つの長尺製品ＰのセグメントＰ１，Ｐ２を並列配置させる案内終端部分２０ｃに向かって、長尺製品Ｐを案内する。その後に、長尺製品ＰのセグメントＰ１，Ｐ２それぞれが、破断ピンチロール２２，２２′によって、ドラムのチャネルペアの内部に同時に導入される。
【００４１】
上述のように、本発明におけるドラム１０又は１２は、圧延機の２つの異なるストランドから搬送された２つの並列配置された長尺製品Ｐを同時に搬送するためのシステムのために配置されており、当該システムと協働することができる。
【００４２】
図４に表わす実施例では、破断ピンチローラ２２，２２′それぞれが、単一の溝ピンチローラであって、一のモータ（図示しない）によって駆動される。
【００４３】
図５に表わす実施例では、単一の複列溝の破断ピンチローラ２４又は２４′が、チャネルペア１０又は１２の内部に両方のストランドを導入するために利用され、ピンチローラ２４又は２４′は、単一のモータ（図示しない）によって駆動される。当該実施例は、利用可能な空間がプラントの当該位置に制限される場合に利用される。
【００４４】
図２、図３、及び図６に表わすように、小さい直径を有している一組の長尺製品Ｐ又は大きい直径を有している一の長尺製品Ｐを導入した後に、ドラムそれぞれが段階的に回転され、冷却床の上において一組の長尺製品Ｐを一度に搬送するか、又は冷却床の上において大きい直径を有している一の長尺製品Ｐを一度に搬送する。
【００４５】
たとえ図示されていなくても理解されるように、本発明におけるシステムが、チャネルペアが充填手段２０，２２，２２′に面しているように、且つ、チャネルペアが排出された長尺製品Ｐを前方に移動させるためにピンチローラの破断と冷却床の移動とを同期させるように、ドラムの回転を駆動するための制御手段を備えている。
【００４６】
圧延機の２つの異なるストランドから搬送された２つの長尺製品Ｐが、本発明における（図示しない上流に配置されたピンチローラによって駆動される）処理システムに到着した場合に、第１のステップにおいて、長尺製品Ｐが、ガイド２０又は２０′の２つの入口セクション２０ａ，２０ｂによって案内される。
【００４７】
第２のステップにおいて、２つの長尺製品Ｐが、ガイド２０又は２０′の出口セクション２０ｃによって並列配置される。
【００４８】
第３のステップにおいて、２つの長尺製品Ｐが、ピンチローラ２２，２２′によって破断され、ピンチローラに面しているドラム１０又は１２のチャネルペアの内部に導入される。
【００４９】
第４のステップにおいて、ドラム１０又は１２は、カバー１６によって閉じられた２つのチャンバＣｈに事前に格納された２つの長尺製品Ｐが、重力の影響を受けて、冷却床１４の同一のノッチの上に排出される。
【符号の説明】
【００５０】
１０    ドラム
１２    ドラム
１４    冷却床
１６    チャンバ
１８    長手方向凹所
２０    ガイド
２０′  ガイド
２０ａ  ブランチ（入口部分）
２０ｂ  ブランチ（入口部分）
２０ｃ  終端ブランチ（終端部分）
２２    ピンチローラ
２２′  ピンチローラ
２４    ピンチローラ
２４′  ピンチローラ
Ｃ      ２つの長尺製品の間の直線距離
Ｃ１〜Ｃｎ  チャネル
Ｐ      長尺製品
【図１】
2016528041.tif 000003
【図２】
2016528041.tif 000004
【図３】
2016528041.tif 000005
【図４】
2016528041.tif 000006
【図５】
2016528041.tif 000007
【図６】
2016528041.tif 000008
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
好ましくは熱間圧延機から搬送された、例えばバー、ロッド、又はこれらに類似する物のような金属製の長尺製品（Ｐ）を受容、輸送、及び排出するためのドラム（１０，１２）において、
前記ドラム（１０，１２）が、ドラム軸線（Ｘ）に対して平行に延在している少なくとも１つの周方向のチャネルペア（Ｃ１−Ｃ２）を備えており、
少なくとも１つの前記チャネルペア（Ｃ１−Ｃ２）が、２つの前記長尺製品（Ｐ１，Ｐ２）を同時に受容するように配置されており、
前記チャネルペア（Ｃ１−Ｃ２）のチャネル（Ｃ１，Ｃ２）それぞれが、一の前記長尺製品（Ｐ１，Ｐ２）を受容するように構成されており、受容した後に少なくとも２つの前記長尺製品（Ｐ１，Ｐ２）を冷却床（１４）の同一のノッチの上に排出するように配置されていることを特徴とするドラム。
【請求項２】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれが、隣り合うチャネルペア（Ｃ１−Ｃ２，Ｃ３−Ｃ４）から離隔配置されていることを特徴とする請求項１に記載のドラム。
【請求項３】
前記チャネルペア（Ｃ１−Ｃ２，Ｃ３−Ｃ４）それぞれが、隣り合うチャネルペアに対して、１２°以上の角度（α，α′）で、好ましくは１２°〜４５°の角度（α，α′）で角度的に離隔配置されていることを特徴とする請求項２に記載のドラム。
【請求項４】
前記ドラム（１０，１２）が、複数の前記チャネルペア（Ｃ１−Ｃ２，Ｃ３―Ｃ４）を備えており、
前記チャネルペア（Ｃ１−Ｃ２，Ｃ３−Ｃ４）それぞれが、チャネルが形成されていない部分を介して、隣り合うチャネルから離隔配置されていることを特徴とする請求項１〜３のいずれか一項に記載のドラム。
【請求項５】
前記チャネルが形成されていない部分が、１２°〜１８°の範囲にある角度的幅αを有していることを特徴とする請求項４に記載のドラム。
【請求項６】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれの前記チャネルそれぞれが、第１の大きさを有しており、
前記ドラム（１０，１２）が、前記第１の大きさとは異なる第２の大きさを有しているチャネル（Ｃ１′）を前記チャネルペア（Ｃ１−Ｃ２，Ｃ３−Ｃ４）同士の間に備えていることを特徴とする請求項１〜３のいずれか一項に記載のドラム。
【請求項７】
前記第２の大きさを有している前記チャネル（Ｃ１′）それぞれの角度的幅（β）及び深さ（ｄ）それぞれが、前記第１の大きさを有している前記チャネルそれぞれの角度的幅及び深さより大きいことを特徴とする請求項６に記載のドラム。
【請求項８】
前記チャネルそれぞれが、前記ドラム軸線（Ｘ）に対して平行とされる長手方向軸線に沿って延在しており、
前記チャネルペアの２つの軸線が成す角度的距離が、３０°以上とされ、好ましくは３０°〜４５°の範囲内とされることを特徴とする請求項１〜７のいずれか一項に記載のドラム。
【請求項９】
前記チャネルペアの２つの前記チャネルが成す角度的距離（Ｂ）が、前記チャネルペアによって受容される２つの長尺製品が成す直線距離（Ｃ）に依存することを特徴とする請求項１〜８のいずれか一項に記載のドラム。
【請求項１０】
前記チャネルペアの２つの前記チャネルが成す角度的距離（Ｂ）が、１４°〜２４°の範囲内とされ、好ましくは１６°〜２０°の範囲内とされることを特徴とする請求項１〜９のいずれか一項に記載のドラム。
【請求項１１】
好ましくは熱間圧延機の複数のストランドから搬送された複数の長尺製品を処理するためのシステムにおいて、
前記システムが、
請求項１〜１０のいずれか一項に記載の少なくとも１つのドラム（１０，１２）と、
前記長尺製品それぞれを一時的に収容するためのチャンバ（Ｃｈ）を形成するために、前記ドラム（１０，１２）のチャネル（Ｃ１−Ｃｎ）それぞれと協働するように構成されている少なくとも１つのカバー（１６）と、
共通する出口セクション（２０ｃ）に導く少なくとも２つの入口セクション（２０ａ，２０ｂ）を有している少なくとも１つのガイド（２０，２０′）であって、前記入口セクション（２０ａ，２０ｂ）が、熱間圧延機の２つの異なるストランドから搬送された少なくとも２つの長尺製品（Ｐ１，Ｐ２）を受容し、少なくとも２つの前記長尺製品（Ｐ１，Ｐ２）を前記出口セクション（２０ｃ）に向かって案内するように構成されており、前記出口セクション（２０ｃ）が、前記ドラムの前記チャネル（Ｃ１−Ｃｎ）の入口に面しており、前記長尺製品（Ｐ１，Ｐ２）が前記ドラム（１０，１２）の前記チャネル（Ｃ１−Ｃｎ）の内部に導入される前に、少なくとも２つの前記長尺製品（Ｐ１，Ｐ２）を並行に配置させるように構成されている、少なくとも１つの前記ガイド（２０，２０′）と、
前記ガイド（２０，２０′）から搬送された２つの並列に配置された前記長尺製品（Ｐ１，Ｐ２）を破断するための破断手段と、
を備えていることを特徴とするシステム。
【請求項１２】
好ましくは圧延機の２つの異なるストランドから搬送された少なくとも２つの長尺製品（Ｐ１，Ｐ２）を処理するための方法において、
少なくとも２つの前記長尺製品（Ｐ１，Ｐ２）を同一のドラム（１０，１２）の異なるチャネルに同時に導入するステップ（ａ）と、
その後に、少なくとも２つの前記長尺製品（Ｐ１，Ｐ２）を冷却床（１４）の同一のノッチの上に同時に排出するステップ（ｂ）と、
を備えていることを特徴とする方法。
【請求項１３】
前記方法が、前記ステップ（ａ）を実行する前に、
少なくとも２つの前記長尺製品（Ｐ１，Ｐ２）を並行に配置するために、少なくとも２つの前記長尺製品（Ｐ１，Ｐ２）を案内することと、
少なくとも２つの前記長尺製品（Ｐ１，Ｐ２）を破断することと、
を備えていることを特徴とする請求項１２に記載の方法。
【請求項１４】
請求項１〜９のいずれか一項に記載のドラムが利用されること特徴とする請求項１〜１３のいずれか一項に記載の方法。
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
熱間圧延機から搬送された金属製の長尺製品（Ｐ）を受容、輸送、及び排出するためのドラム（１０，１２）において、
前記ドラム（１０，１２）が、ドラム軸線（Ｘ）に対して平行に延在している少なくとも１つのチャネルペア（Ｃ１−Ｃ２）であって、前記ドラム（１０，１２）の周方向に沿って配置されている少なくとも１つの前記チャネルペア（Ｃ１−Ｃ２）を備えており、
少なくとも１つの前記チャネルペア（Ｃ１−Ｃ２）が、少なくとも２つの前記長尺製品（Ｐ１，Ｐ２）を同時に受容するように配置されており、
前記チャネルペア（Ｃ１−Ｃ２）のチャネル（Ｃ１，Ｃ２）それぞれが、一の前記長尺製品（Ｐ１，Ｐ２）を受容するように構成されており、受容した後に少なくとも２つの前記長尺製品（Ｐ１，Ｐ２）を冷却床（１４）の同一のノッチの上に排出するように配置されていることを特徴とするドラム。
【請求項２】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれが、隣り合うチャネルペア（Ｃ１−Ｃ２，Ｃ３−Ｃ４）から離隔配置されていることを特徴とする請求項１に記載のドラム。
【請求項３】
前記チャネルペア（Ｃ１−Ｃ２，Ｃ３−Ｃ４）それぞれが、隣り合うチャネルペアに対して、１２°以上の角度（α，α′）で角度的に離隔配置されていることを特徴とする請求項２に記載のドラム。
【請求項４】
前記チャネルペア（Ｃ１−Ｃ２，Ｃ３−Ｃ４）それぞれが、隣り合うチャネルペアに対して、１２°〜４５°の角度（α，α′）で角度的に離隔配置されていることを特徴とする請求項２に記載のドラム。
【請求項５】
前記ドラム（１０，１２）が、複数の前記チャネルペア（Ｃ１−Ｃ２，Ｃ３―Ｃ４）を備えており、
前記チャネルペア（Ｃ１−Ｃ２，Ｃ３−Ｃ４）それぞれが、チャネルが形成されていない部分を介して、隣り合うチャネルペアから離隔配置されていることを特徴とする請求項１〜４のいずれか一項に記載のドラム。
【請求項６】
前記チャネルが形成されていない部分が、１２°〜１８°の範囲にある角度的幅αを有していることを特徴とする請求項５に記載のドラム。
【請求項７】
前記ドラム（１０，１２）が、複数の前記チャネルペア（Ｃ１−Ｃ２，Ｃ３−Ｃ４）を備えており、
前記チャネルペア（Ｃ１−Ｃ２，Ｃ３−Ｃ４）それぞれの前記チャネルそれぞれが、第１の大きさを有しており、
前記ドラム（１０，１２）が、前記第１の大きさとは異なる第２の大きさを有しているさらなるチャネル（Ｃ１′）を前記チャネルペア（Ｃ１−Ｃ２，Ｃ３−Ｃ４）同士の間に備えていることを特徴とする請求項１〜４のいずれか一項に記載のドラム。
【請求項８】
前記第２の大きさを有している前記さらなるチャネル（Ｃ１′）それぞれの角度的幅（β）及び深さ（ｄ）それぞれが、前記第１の大きさを有している前記チャネルそれぞれの角度的幅及び深さより大きいことを特徴とする請求項７に記載のドラム。
【請求項９】
前記チャネルそれぞれが、前記ドラム軸線（Ｘ）に対して平行とされる長手方向軸線に沿って延在しており、
前記ドラム軸線（Ｘ）を基点として前記チャネルペアの前記チャネルの２つの軸線が成す角度的距離が、３０°以上とされることを特徴とする請求項１〜８のいずれか一項に記載のドラム。
【請求項１０】
前記チャネルそれぞれが、前記ドラム軸線（Ｘ）に対して平行とされる長手方向軸線に沿って延在しており、
前記ドラム軸線（Ｘ）を基点として前記チャネルペアの前記チャネルの２つの軸線が成す角度的距離が、３０°〜４５°の範囲内とされることを特徴とする請求項１〜８のいずれか一項に記載のドラム。
【請求項１１】
前記チャネルペアの２つの前記チャネルが成す角度的距離（Ｂ）が、前記チャネルペアによって受容される２つの長尺製品が成す直線距離（Ｃ）に依存することを特徴とする請求項１〜１０のいずれか一項に記載のドラム。
【請求項１２】
前記チャネルペアの２つの前記チャネルが成す角度的距離（Ｂ）が、１４°〜２４°の範囲内とされることを特徴とする請求項１〜１１のいずれか一項に記載のドラム。
【請求項１３】
前記チャネルペアの２つの前記チャネルが成す角度的距離（Ｂ）が、１６°〜２０°の範囲内とされることを特徴とする請求項１〜１１のいずれか一項に記載のドラム。
【請求項１４】
熱間圧延機の複数のストランドから搬送された複数の長尺製品を処理するためのシステムにおいて、
前記システムが、
請求項１〜１３のいずれか一項に記載の少なくとも１つのドラム（１０，１２）と、
前記長尺製品それぞれを一時的に収容するためのチャンバ（Ｃｈ）を形成するために、前記ドラム（１０，１２）のチャネル（Ｃ１−Ｃｎ）それぞれと協働するように構成されている少なくとも１つのカバー（１６）と、
共通する出口セクション（２０ｃ）に導く少なくとも２つの入口セクション（２０ａ，２０ｂ）を有している少なくとも１つのガイド（２０，２０′）であって、前記入口セクション（２０ａ，２０ｂ）が、熱間圧延機の２つの異なるストランドから搬送された少なくとも２つの長尺製品（Ｐ１，Ｐ２）を受容し、少なくとも２つの前記長尺製品（Ｐ１，Ｐ２）を前記出口セクション（２０ｃ）に向かって案内するように構成されており、前記出口セクション（２０ｃ）が、前記ドラムの前記チャネル（Ｃ１−Ｃｎ）の入口に面しており、前記長尺製品（Ｐ１，Ｐ２）が前記ドラム（１０，１２）の前記チャネル（Ｃ１−Ｃｎ）の内部に導入される前に、少なくとも２つの前記長尺製品（Ｐ１，Ｐ２）を並行に配置させるように構成されている、少なくとも１つの前記ガイド（２０，２０′）と、
前記ガイド（２０，２０′）から搬送された２つの並列に配置された前記長尺製品（Ｐ１，Ｐ２）を破断するための破断手段と、
を備えていることを特徴とするシステム。
【請求項１５】
圧延機の２つの異なるストランドから搬送された少なくとも２つの長尺製品（Ｐ１，Ｐ２）を処理するための方法において、
少なくとも２つの前記長尺製品（Ｐ１，Ｐ２）を同一のドラム（１０，１２）の異なるチャネルに同時に導入するステップ（ａ）と、
その後に、少なくとも２つの前記長尺製品（Ｐ１，Ｐ２）を冷却床（１４）の同一のノッチの上に同時に排出するステップ（ｂ）と、
を備えていることを特徴とする方法。
【請求項１６】
前記方法が、前記ステップ（ａ）を実行する前に、
少なくとも２つの前記長尺製品（Ｐ１，Ｐ２）を並行に配置するために、少なくとも２つの前記長尺製品（Ｐ１，Ｐ２）を案内することと、
少なくとも２つの前記長尺製品（Ｐ１，Ｐ２）を破断することと、
を備えていることを特徴とする請求項１５に記載の方法。
【請求項１７】
請求項１〜１１のいずれか一項に記載のドラムが利用されること特徴とする請求項１５又は１６に記載の方法。
【国際調査報告】
2016528041.tif 000009
2016528041.tif 000010